(57)【要約】【課題】  偏光フィルターの位置の調節を簡単に行うことができ、且つ、自動的に偏光フィルターが回転された場合においても、偏光フィルターの位置おける偏光効果を確認することができる撮像装置及びそのプログラムを実現する。【解決手段】  被写体のスルー画像を画像表示部１０に表示させると（Ｓ１）、ＰＬ評価値の取得を行うか否かを判断し（Ｓ２）、ＰＬ評価値の取得を行うと判断すると、偏光フィルターを０〜πの角度まで回転駆動させながら、周期的にＣＣＤ７から出力される撮像信号中の高周波成分（ＰＬ評価値）を取得していく（Ｓ３）。そして、被写体のスルー画像とともに、該取得した偏光フィルターの各角度におけるＰＬ評価値の関係を示した関係グラフを画像表示部１０に表示させる（Ｓ４）。これにより、偏光フィルターの各角度におけるＰＬ評価値及び現在のＰＬ評価値をユーザは認識することができる。【選択図】  図３
2006165986.tif 000002
【特許請求の範囲】
【請求項１】
被写体を撮像する撮像手段と、
前記撮像手段の前面に設置された偏光フィルターと、
前記偏光フィルターを回転駆動させる第１の回転駆動制御手段と、
前記第１の回転駆動制御手段により回転駆動された前記偏光フィルターの各角度における前記撮像手段により得られた画像データのＰＬ評価値を取得する取得手段と、
前記取得手段により得られたＰＬ評価値と、前記偏光フィルターの角度との関係を示した関係グラフを表示手段に表示させる表示制御手段と、
を備えたことを特徴とする撮像装置。
【請求項２】
ユーザが前記偏光フィルターの自動回転を指示する第１の指示手段を備え、
前記第１の回転駆動制御手段は、
前記第１の指示手段により前記偏光フィルターの自動回転の指示があった場合は、前記偏光フィルターを自動的に所定角度回転駆動させることを特徴とする請求項１記載の撮像装置。
【請求項３】
前記第１の回転駆動制御手段は、
前記偏光フィルターを自動的に０〜πの角度まで回転させることを特徴とする請求項１又は２記載の撮像装置。
【請求項４】
前記表示制御手段は、
前記表示手段に関係グラフを表示させるとともに、前記撮像手段により得られた画像データの画像を表示させることを特徴とする請求項１乃至３の何れかに記載の撮像装置。
【請求項５】
前記表示制御手段は、
前記取得手段により取得された前記偏光フィルターの各角度における前記撮像手段により得られた画像データのＰＬ評価値の中で、一番高いＰＬ評価値の位置及び又は一番低いＰＬ評価値の位置を、前記表示手段に表示されたＰＬ評価値と前記偏光フィルターの角度との関係を示した関係グラフ上に指標することを特徴とする請求項１乃至４の何れかに記載の撮像装置。
【請求項６】
前記表示制御手段は、
前記偏光フィルターの現在の角度位置を、ＰＬ評価値と前記偏光フィルターの角度との関係を示した関係グラフ上に指標することを特徴とする請求項１乃至５の何れかに記載の撮像装置。
【請求項７】
ユーザがＰＬ評価値が最大となるように前記偏光フィルターの駆動を指示する第２の指示手段と、
前記第２の指示手段により前記偏光フィルターの駆動の指示があった場合は、前記取得手段により取得された前記偏光フィルターの各角度における前記撮像手段により得られた画像データのＰＬ評価値の中で、一番高いＰＬ評価値に対応する角度に、前記偏光フィルターを回転駆動させる第２の回転駆動制御手段と、
を備えたことを特徴とする請求項１乃至６の何れかに記載の撮像装置。
【請求項８】
ユーザがＰＬ評価値が最小となるように前記偏光フィルターの駆動を指示する第３の指示手段と、
前記第３の指示手段により前記偏光フィルターの駆動の指示があった場合には、前記取得手段により取得された前記偏光フィルターの各角度における前記撮像手段により得られた画像データのＰＬ評価値の中で、一番低いＰＬ評価値に対応する角度に、前記偏光フィルターを回転駆動させる第３の駆動制御手段と、
を備えたことを特徴とする請求項１乃至７の何れかに記載の撮像装置。
【請求項９】
ユーザが偏光フィルターの現在の角度を調節するための調節手段と、
前記調節手段により前記偏光フィルターの角度の調整が行われた場合には、前記調節手段により調節されたフィルターの角度となるように前記偏光フィルターを回転駆動させる第４の回転駆動制御手段と、
を備えたことを特徴とする請求項１乃至８の何れかに記載の撮像装置。
【請求項１０】
撮像素子を用いて被写体を撮像する撮像処理と、
前記撮像素子の前面に設置された偏光フィルターを回転駆動させる処理と、
この処理により回転駆動された前記偏光フィルターの各角度における前記撮像処理により得られた画像データのＰＬ評価値を取得する処理と、
この処理により得られたＰＬ評価値と、前記偏光フィルターの角度との関係を示した関係グラフを表示部に表示させる処理と、
を含み、上記各処理をコンピュータで実行させることを特徴とするプログラム。
【発明の詳細な説明】
【技術分野】
【０００１】
本発明は、撮像装置及びそのプログラムに係り、偏光フィルターの位置の調節を簡単に行うことができ、且つ、自動的に偏光フィルターが回転された場合においても、偏光フィルターの位置おける偏光効果を確認することができる撮像装置及びそのプログラムに関する。
【背景技術】
【０００２】
従来の撮像装置、例えば、デジタルカメラにおいては、ガラスなどの非金属などの表面が反射光により光っているときには（偏光しているときには）、撮影レンズの前面に偏光フィルターを設置して、この不要な反射光をカットしていた。
【０００３】
また、下記公開特許公報には、偏光フィルター制御機構なる発明が開示されている。詳しくは、偏光フィルターを備えたカメラにおいて、撮像素子により電気信号に変換された撮像信号のレベルに対応する信号が最小となるように、偏光フィルターを自動的に回転させることにより、反射光の影響が時間的に変化しても絶えず反射光成分を適切に除去することできる偏光フィルター制御機構なるものが記載されている。
【０００４】
【特許文献１】公開特許公報  特開平１０−１４５６６８（段落「００２３」〜段落「００３２」参照）
【発明の開示】
【発明が解決しようとする課題】
【０００５】
しかしながら、従来の撮像装置にあっては、撮影レンズの先端に偏光フィルターを装着して、ファインダーやモニター等を目視してコントラストの具合などを見ながら、偏光効果が適当と思われるように手動で偏光フィルターを回転させることにより偏光フィルターの位置を調節していたため、ファインダーやモニター等では偏光の効果が分かりづらく、偏光フィルターをどのくらい回転させればよいのかを見分けるのが困難であった。
【０００６】
また、上記した特許文献によれば、反射光成分が最小となるように偏光フィルターを自動的に回転させることはできるが、ユーザは本当に反射光成分が最小となるように偏光フィルターが回転されたのかを確認することができないという問題点もあった。また、撮影状況、作画意図などの状況において、反射光成分が最小となるように偏光フィルターの自動回転を行った後において、ユーザが偏光フィルターの位置を調整したい場合でも、撮影状況、作画意図などに沿うような偏光フィルターの調整は困難であるという問題点もあった。
【０００７】
そこで本発明は、かかる従来の問題点に鑑みてなされたものであり、偏光フィルターの位置の調節を簡単に行うことができ、且つ、自動的に偏光フィルターが回転された場合においても、偏光フィルターの位置おける偏光効果を確認することができる撮像装置及びそのプログラムを提供することを目的とする。
【課題を解決するための手段】
【０００８】
上記目的達成のため、請求項１記載の発明による撮像装置は、被写体を撮像する撮像手段と、
前記撮像手段の前面に設置された偏光フィルターと、
前記偏光フィルターを回転駆動させる第１の回転駆動制御手段と、
前記第１の回転駆動制御手段により回転駆動された前記偏光フィルターの各角度における前記撮像手段により得られた画像データのＰＬ評価値を取得する取得手段と、
前記取得手段により得られたＰＬ評価値と、前記偏光フィルターの角度との関係を示した関係グラフを表示手段に表示させる表示制御手段と、
を備えたことを特徴とする。
【０００９】
また、例えば、請求項２に記載されているように、ユーザが前記偏光フィルターの自動回転を指示する第１の指示手段を備え、
前記第１の回転駆動制御手段は、
前記第１の指示手段により前記偏光フィルターの自動回転の指示があった場合は、前記偏光フィルターを自動的に所定角度回転駆動させるようにしてもよい。
【００１０】
また、例えば、請求項３に記載されているように、前記第１の回転駆動制御手段は、
前記偏光フィルターを自動的に０〜πの角度まで回転させるようにしてもよい。
【００１１】
また、例えば、請求項４に記載されているように、前記表示制御手段は、
前記表示手段に関係グラフを表示させるとともに、前記撮像手段により得られた画像データの画像を表示させるようにしてもよい。
【００１２】
また、例えば、請求項５に記載されているように、前記表示制御手段は、
前記取得手段により取得された前記偏光フィルターの各角度における前記撮像手段により得られた画像データのＰＬ評価値の中で、一番高いＰＬ評価値の位置及び又は一番低いＰＬ評価値の位置を、前記表示手段に表示されたＰＬ評価値と前記偏光フィルターの角度との関係を示した関係グラフ上に指標するようにしてもよい。
【００１３】
また、例えば、請求項６に記載されているように、前記表示制御手段は、
前記偏光フィルターの現在の角度位置を、ＰＬ評価値と前記偏光フィルターの角度との関係を示した関係グラフ上に指標するようにしてもよい。
【００１４】
また、例えば、請求項７に記載されているように、ユーザがＰＬ評価値が最大となるように前記偏光フィルターの駆動を指示する第２の指示手段と、
前記第２の指示手段により前記偏光フィルターの駆動の指示があった場合は、前記取得手段により取得された前記偏光フィルターの各角度における前記撮像手段により得られた画像データのＰＬ評価値の中で、一番高いＰＬ評価値に対応する角度に、前記偏光フィルターを回転駆動させる第２の回転駆動制御手段と、
を備えるようにしてもよい。
【００１５】
また、例えば、請求項８に記載されているように、ユーザがＰＬ評価値が最小となるように前記偏光フィルターの駆動を指示する第３の指示手段と、
前記第３の指示手段により前記偏光フィルターの駆動の指示があった場合には、前記取得手段により取得された前記偏光フィルターの各角度における前記撮像手段により得られた画像データのＰＬ評価値の中で、一番低いＰＬ評価値に対応する角度に、前記偏光フィルターを回転駆動させる第３の駆動制御手段と、
を備えるようにしてもよい。
【００１６】
また、例えば、請求項９に記載されているように、ユーザが偏光フィルターの現在の角度を調節するための調節手段と、
前記調節手段により前記偏光フィルターの角度の調整が行われた場合には、前記調節手段により調節されたフィルターの角度となるように前記偏光フィルターを回転駆動させる第４の回転駆動制御手段と、
を備えるようにしてもよい。
【００１７】
上記目的達成のため、請求項１０記載の発明によるプログラムは、撮像素子を用いて被写体を撮像する撮像処理と、
前記撮像素子の前面に設置された偏光フィルターを回転駆動させる処理と、
この処理により回転駆動された前記偏光フィルターの各角度における前記撮像処理により得られた画像データのＰＬ評価値を取得する処理と、
この処理により得られたＰＬ評価値と、前記偏光フィルターの角度との関係を示した関係グラフを表示部に表示させる処理と、
を含み、上記各処理をコンピュータで実行させることを特徴とする。
【発明の効果】
【００１８】
請求項１記載の発明によれば、偏光フィルターを回転駆動させる第１の回転駆動制御手段と、前記第１の回転駆動制御手段により回転駆動された前記偏光フィルターの各角度における撮像手段により得られた画像データのＰＬ評価値を取得する取得手段と、前記取得手段により得られたＰＬ評価値と、前記偏光フィルターの角度との関係を示した関係グラフを表示手段に表示させる表示制御手段と、を備えたので、偏光フィルターの各角度におけるＰＬ評価値をユーザは認識することができ、偏光フィルターの角度を何度にすれば、所望するＰＬ評価値、画像を得ることができるのかも認識することができる。
【００１９】
請求項２記載の発明によれば、ユーザが偏光フィルターの自動回転を指示する第１の指示手段を備え、第１の回転駆動制御手段は、前記第１の指示手段により前記偏光フィルターの自動回転の指示があった場合は、前記偏光フィルターを自動的に所定角度回転駆動させるようにしたので、ユーザは、偏光フィルタータの各角度におけるＰＬ評価値を認識したいときには、第１の指示手段により自動回転を指示することによりいつでも認識することができる。
【００２０】
請求項３記載の発明によれば、第１の回転駆動制御手段は、偏光フィルターを自動的に０〜πの角度まで回転させるようにしたので、万遍なく、偏光フィルターの各角度におけるＰＬ評価値を認識することができる。
【００２１】
請求項４記載の発明によれば、表示制御手段は、表示手段に関係グラフを表示させるとともに、撮像手段により得られた画像データの画像を表示させるようにしたので、表示手段に表示された画像についての偏光フィルターの各角度におけるＰＬ評価値を示した関係グラフであることを認識することができる。
【００２２】
請求項５記載の発明によれば、表示制御手段は、取得手段により取得された偏光フィルターの各角度における撮像手段により得られた画像データのＰＬ評価値の中で、一番高いＰＬ評価値の位置、及び／又は、一番低いＰＬ評価値の位置を、表示手段に表示されたＰＬ評価値と前記偏光フィルターの角度との関係を示した関係グラフ上に指標するので、どの角度が一番ＰＬ評価値が高くなるのか、及び／又は、どの角度が一番ＰＬ評価値が小さくなるのか、をユーザは簡単且つ迅速に認識することができる。
【００２３】
請求項６記載の発明によれば、表示制御手段は、偏光フィルターの現在の角度位置を、ＰＬ評価値と前記偏光フィルターの角度との関係を示した関係グラフ上に指標するようにしたので、現在の偏光フィルターの角度の位置をユーザは認識することができる。
【００２４】
請求項７記載の発明によれば、ユーザがＰＬ評価値が最大となるように偏光フィルターの駆動を指示する第２の指示手段と、前記第２の指示手段により前記偏光フィルターの駆動の指示があった場合は、取得手段により取得された前記偏光フィルターの各角度における撮像手段により得られた画像データのＰＬ評価値の中で、一番高いＰＬ評価値に対応する角度に、前記偏光フィルターを回転駆動させる第２の駆動制御手段と、を備えるようにしたので、ユーザが色彩コントラスト効果を得たい場合には、第２の指示手段により指示することにより、迅速にＰＬ評価値が一番高くなる角度に偏光フィルターを駆動回転することができ、コントラストの効いた風景画像を得ることができる。
【００２５】
請求項８記載の発明によれば、ユーザがＰＬ評価値が最小となるように偏光フィルターの駆動を指示する第３の指示手段と、前記第３の指示手段により前記偏光フィルターの駆動の指示があった場合には、取得手段により取得された前記偏光フィルターの各角度における撮像手段により得られた画像データのＰＬ評価値の中で、一番低いＰＬ評価値に対応する角度に、前記偏光フィルターを回転駆動させる第３の駆動制御手段と、を備えるようにしたので、ユーザがガラス等の反射除去効果を得たい場合には、第３の指示手段により指示することにより、迅速にＰＬ評価値が一番低くなる角度に偏光フィルターを駆動回転することができ、ガラス等に反射する光を除去することができる。
【００２６】
請求項９記載の発明によれば、ユーザが偏光フィルターの現在の角度を調節するための調節手段と、前記調節手段により前記偏光フィルターの角度の調節が行われた場合には、前記調節手段により調節されたフィルターの角度となるように前記偏光フィルターを回転駆動させるようにしたので、ユーザは自分が所望するＰＬ評価値となるように偏光フィルターの角度を調節することができ、所望する画像を得ることができる。
【００２７】
請求項１０記載の発明によれば、デジタルカメラ、パソコン等に読み込ませることにより、本発明の撮像装置を実現することができる。
【発明を実施するための最良の形態】
【００２８】
以下、本実施の形態について、図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、偏光フィルター部２、フィルター回転駆動部３、撮影レンズ４、レンズ駆動ブロック５、絞り兼用シャッタ６、ＣＣＤ７、ＴＧ（timing generator）８、ユニット回路９、ＣＰＵ１０、ＤＲＡＭ１１、メモリ１２、フラッシュメモリ１３、画像表示部１４、キー入力部１５、音声処理部１６、ストロボ駆動部１７、ストロボ発光部１８、カードＩ／Ｆ１９を備えており、カードＩ／Ｆ１９には、図示しないデジタルカメラ１本体のカードスロットに着脱自在に装着されたメモリ・カード２０が接続されている。
【００２９】
偏光フィルター部２は、特定の偏光（ＰＬ）の方向を持った光と、偏光特性を持たない光のみを透過させる偏光フィルターを有し、フィルター回転駆動部３が接続されている。フィルター回転駆動部３は、図示しない偏光フィルター部２の偏光フィルターを回転駆動させるモータと、ＣＰＵ１０からの制御信号にしたがって、モータを駆動させるモータドライバから構成されている。なお、偏光フィルター部２は、モータと機械的に接続され、モータが駆動すると、偏光フィルター部２のフィルターが回転するような構造となっている。この偏光フィルターの回転は、光軸を中心に回転する。
【００３０】
撮影レンズ４は、図示しないフォーカスレンズ、ズームレンズを含み、レンズ駆動ブロック５が接続されている。レンズ駆動ブロック５は、図示しないフォーカスレンズ、ズームレンズをそれぞれ光軸方向に駆動させるフォーカスモータ、ズームモータと、ＣＰＵ１０からの制御信号にしたがってフォーカスモータ、ズームモータをそれぞれ駆動させるフォーカスモータドライバ、ズームモータドライバから構成されている。
【００３１】
絞り兼用シャッタ６は、図示しない駆動回路を含み、駆動回路はＣＰＵ１０から送られてくる制御信号にしたがって絞り兼用シャッタ６を動作させる。この絞り兼用シャッタ６は、絞りとシャッタとして機能する。
絞りとは、撮影レンズ４から入ってくる光の量を制御する機構のことをいい、シャッタとは、ＣＣＤ７に光を当てる時間を制御する機構のことをいい、ＣＣＤ７に光を当てる時間は、シャッタの開閉の速度（シャッタ速度）によって変わってくる。露出は、この絞りとシャッタ速度によって定めることができる。
【００３２】
ＣＣＤ７は、偏光フィルター部２、撮影レンズ４及び絞り兼用シャッタ６を介して投影された被写体の光を電気信号に変換し、撮像信号としてユニット回路９に出力する。また、ＣＣＤ７は、ＴＧ８によって生成された所定周波数のタイミング信号にしたがって駆動する。ＴＧ８にはユニット回路９が接続されている。
ユニット回路９は、ＣＣＤ７から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ７の撮像信号は、ユニット回路９を経てデジタル信号としてＣＰＵ１０に送られる。
【００３３】
ＣＰＵ１０は、ユニット回路９から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００３４】
ＤＲＡＭ１１は、ＣＣＤ７によって撮像された後、ＣＰＵ１０に送られてきた画像データを一時記憶するバッファメモリとして使用されるとともに、ＣＰＵ１０のワーキングメモリとして使用される。
フラッシュメモリ１３やメモリ・カード２０は、ＣＣＤ７によって撮像された画像データを画像ファイルの形態で保存しておく記録媒体である。ユーザは撮影した画像データをどちらのメモリに記録するかを選択することができ、該選択されたメモリに撮影画像データが記録される。
【００３５】
画像表示部１４は、カラーＬＣＤとその駆動回路を含み、撮影待機状態にあるときには、ＣＣＤ７によって撮像された被写体をスルー画像として表示し、記録画像の再生時には、保存用フラッシュメモリ１３やメモリ・カード２０から読み出され、伸張された記録画像を表示させる。また、画像表示部１０は、後述する関係グラフを被写体のスルー画像とともに表示させる。画像表示部１０は、本発明の表示手段として機能する。
キー入力部１５は、シャッタボタン、ＰＬキー、最大キー、最小キー、回転キー（「←」キー、「→」キー）等の複数の操作キーを含み、ユーザのキー操作に応じた操作信号をＣＰＵ１０に出力する。このキー入力部１５は、本発明の第１の指示手段、第２の指示手段、第３の指示手段、調節手段として機能する。
【００３６】
音声処理部１６は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ１０に送る。ＣＰＵ１０は、送られてきた音声データは、バッファメモリ（ＤＲＡＭ７）に順次記憶され、ＣＣＤ７によって撮像された画像データとともにフラッシュメモリ１３又はメモリ・カード２０に記録される。
また、音声処理部１６は、音声付画像の再生時には、各画像データに付属する音声データに基づく音声等を内蔵スピーカから放音する。
【００３７】
ストロボ駆動部１７は、ＣＰＵ１０の制御信号にしたがって、ストロボ発光部１８を閃光駆動させ、ストロボ発光部１８はストロボを閃光させる。ＣＰＵ１０は、図示しない測光回路によって撮影シーンが暗いか否かを判断し、撮影シーンが暗いと判断し、且つ、撮影を行うと判断した場合（シャッタボタン押下時）には、ストロボ駆動部１７に制御信号を送る。
【００３８】
Ｂ.以下、本発明の特徴となるデジタルカメラ１のそれぞれの構成の機能について説明する。
ユーザのキー入力部１５の操作によりデジタルカメラ１の電源がＯＮされると、
ＣＰＵ１０は、ＣＣＤ７による被写体の撮像を開始させ、ＣＣＤ７によって撮像された被写体の画像データに対して画像処理を施してバッファメモリ（ＤＲＡＭ１１）に記憶し、該記憶した画像データの画像を画像表示部１４に表示させるという、いわゆるスルー画像表示を行なう。
【００３９】
スルー画像表示を行うと、ＣＰＵ１０は、ＰＬ評価値の取得を行うか否かを判断する。この判断は、ユーザのキー入力部１５のＰＬキーの操作により、キー入力部１５からＰＬキー操作に対応する操作信号が送られてきた場合にはＰＬ評価値の取得を行うと判断する。ここで、ＰＬ評価値とは、撮像信号（画像データ）の高周波成分の多さを示すものであり、高周波成分の多い画像データほどＰＬ評価値は高くなる。
ＣＰＵ１０、ＰＬ評価値の取得を行うと判断すると、フィルター回転駆動部３に制御信号を送り、偏光フィルター部２の偏光フィルターを０〜πの角度まで回転駆動させ（第１の回転駆動制御手段）、周期的にＣＣＤ７から出力される撮像信号中のコントラスト成分（高周波成分）を取得していく（取得手段）。この偏光フィルターの角度０〜πとは、ある位置を基準にして（角度０°として）、そこから、角度１８０°（π）までのことをいう。
【００４０】
図２（ａ）は、ＣＰＵ１０が取得した、偏光フィルターを０〜πまで回転駆動させたときの偏光フィルターの各角度におけるＣＣＤ７から出力される撮像信号のＰＬ評価値を示したグラフである。
このグラフの横軸は、偏光フィルターの回転角度を表しており、縦軸はその角度におけるＰＬ評価値の大小を表している。また、点２１は、取得した偏光フィルターの各角度のおけるＰＬ評価値の中で、一番ＰＬ評価値が高くなる偏光フィルターの角度位置を示しており、点２２は、取得した偏光フィルターの各角度のおけるＰＬ評価値の中で、一番ＰＬ評価値が低くなる偏光フィルターの角度位置を示している。
図２（ａ）を見ると、偏光フィルターの回転角度を大きくしていくと、徐々にＰＬ評価値は大きくなり、もっともＰＬ評価値が大きくなるところが点２１の角度のときである。そして、点２１の角度を境に徐々にＰＬ評価値は少なくなっていくのがわかる。
【００４１】
ＣＰＵ１０は、偏光フィルター部２の偏光フィルターの各角度におけるＰＬ評価値を取得すると、被写体のスルー画像とともに、該取得した偏光フィルターの各角度とＰＬ評価値との関係を示した関係グラフ（以下、関係グラフという）を画像表示部１４に表示させる（表示制御手段）。
このとき、この関係グラフ上にＰＬ評価値が最大となる位置、ＰＬ評価値が最小となる位置、及び、現在の偏光フィルターの角度の位置を指標として表示させる。
【００４２】
図２（ｂ）は、画像表示部１４に表示された関係グラフを表すものである。
図２（ｂ）の富士山の絵及び雲は、ＣＣＤ７によって撮像された画像であり、その下方にある枠２３が関係グラフである。
この関係グラフ２３の横軸は、偏光フィルターの角度の大きさを表しており、縦軸は、ＰＬ評価値の大きさを表している。
【００４３】
この関係グラフ２３上の点２４は、取得した偏光フィルターの各角度におけるＰＬ評価値の中で、ＰＬ評価値が最大となる角度の位置を指標するものであり、ＰＬ評価値が最大となる偏光フィルターの角度の位置を示している。また、点２５は、取得した偏光フィルターの各角度におけるＰＬ評価値の中で、ＰＬ評価値が最小となる角度の位置を指標するものであり、ＰＬ評価値が最小となる偏光フィルターの角度位置を示している。更に、関係グラフ２３上の三角部２６は、現在の偏光フィルターの角度の位置を指標するものである。
これにより、ユーザは、現在の偏光フィルターの角度の位置、及びＰＬ評価値が最大及び最小となる偏光フィルターの角度の位置を認識することができる。
【００４４】
ＣＰＵ１０は、関係グラフ２３を被写体のスルー画像とともに画像表示部１４に表示させると、ＰＬ評価値が最大となる角度に偏光フィルターを回転駆動させるか否かを判断する。この判断は、ユーザのキー入力部１５の最大キーの操作に対応する操作信号がキー入力部１５から送られてきたか否かにより判断する。
ＣＰＵ１０は、ＰＬ評価値が最大となる角度に偏光フィルターを回転駆動させると判断すると、ＰＬ評価値が最大となる角度に偏光フィルターを回転駆動させるための制御信号をフィルター回転駆動部３に送り、フィルター回転駆動部３は、該送られてきた制御信号にしたがって、偏光フィルター部２の偏光フィルターを回転駆動させる（第２の回転駆動制御手段）。これにより、ユーザは、コントラスト効果のある画像を得ることができる。
【００４５】
また、ＣＰＵ１０は、ＰＬ評価値が最小となる角度に偏光フィルターを回転駆動させるか否かの判断も行う。この判断は、ユーザのキー入力部１５の最小キーの操作に対応する操作信号がキー入力部１５から送られてきたか否かにより判断を行う。
ＣＰＵ１０は、ＰＬ評価値が最小となる角度に偏光フィルターを回転駆動させると判断すると、ＰＬ評価値が最小となる角度に偏光フィルターを回転駆動させるための制御信号をフィルター回転駆動部３に送り、フィルター回転駆動部３は、該送られてきた制御信号にしたがって、偏光フィルター部２の偏光フィルターを回転駆動させる（第３の回転駆動制御手段）。これにより、ユーザは、ガラス等に反射する光を除去した画像データを得ることができる。
【００４６】
また、ＣＰＵ１０は、偏光フィルターの角度を変えるためのマニュアル操作が行われたか否かの判断も行う。この判断は、ユーザのキー入力部１５の回転キー（「←」キー、「→」キー）の操作に対応する操作信号がキー入力部１５から送られてきたか否かにより判断を行う。
ＣＰＵ１０は、マニュアル操作があると判断すると、ユーザのマニュアル操作にしたがってフィルター回転駆動部３に制御信号を送り、フィルター回転駆動部３は、該送られてきた制御信号にしたがって偏光フィルターを回転駆動させていく（第４の回転駆動制御手段）。具体的に説明すると、回転キーの「←」キーの操作を行うと、偏光フィルターの角度が小さくなり、「→」キーの操作を行うと偏光フィルターの角度が大きくなる。つまり、「←」キーの操作を行うと、図２（ｂ）の三角部２６の位置が左に移動し（角度が小さくなり）、「→」キーの操作を行うと三角部２６の位置が右に移動する（角度が大きくなる）。
【００４７】
また、ＣＰＵ１０は、ユーザのキー入力部１５の操作によりシャッタボタンが押下されたか否かの判断も行う。この判断は、キー入力部１５からシャッタボタン押下に対応する操作信号が送られてきたか否かにより判断し、送られてきた場合には、シャッタボタンが押下されたと判断する。
ＣＰＵ１０は、シャッタボタンが押下されたと判断すると、被写体の静止画撮影処理を行う。つまり、ＣＣＤ４に比較的長い出力タイミングで１画面中の偶数ラインの画素信号と、奇数ラインの画素信号とを順に出力させて、全画面分のデータをバッファメモリに取り込み、該取り込んだ画像データを圧縮する処理を行う。そして、該圧縮した画像データをフラッシュメモリ１３又はメモリ・カード２０に記録する。
【００４８】
メモリ１２には、ＣＰＵ１０によるデジタルカメラ1の各部の制御に必要なプログラム、及び各部の制御に必要なデータが記録されており、ＣＰＵ１０は、このプログラムにしたがって処理を行うことにより本発明の撮像装置として機能する。
【００４９】
Ｃ．デジタルカメラ１の動作
第１の実施の形態におけるデジタルカメラ１の動作を図３及び図４のフローチャートにしたがって説明する。
ユーザのキー入力部１５の操作によりデジタルカメラ１の電源がＯＮされると、ＣＣＤ７による被写体の撮像を開始し、撮像した被写体のスルー画像を画像表示部１４に表示させる（ステップＳ１）。
【００５０】
次いで、ＰＬ評価値の取得を行うか否かを判断する（ステップＳ２）。この判断は、ユーザによりキー入力部１５のＰＬキーの操作が行われた場合は、ＰＬ評価値の取得を行うと判断する。
ステップＳ２で、ＰＬ評価値の取得を行うと判断すると、偏光フィルター部２の偏光フィルターを０〜πの角度まで回転駆動させながら、周期的にＣＣＤ７から出力される撮像信号中のコントラスト成分（高周波成分）、即ち、ＰＬ評価値を取得していく（ステップＳ３）。この偏光フィルターの角度０〜πとは、ある角度を基準にして（角度０°として）、そこから角度１８０°までのことをいう。
【００５１】
そして、ステップＳ３で、偏光フィルター部２の偏光フィルターの各角度におけるＰＬ評価値を取得すると、被写体のスルー画像とともに、偏光フィルターの各角度におけるＰＬ評価値の関係を示した関係グラフを画像表示部１４に表示させて（ステップＳ４）、ステップＳ６に進む。
図２（ｂ）は、このときの様子を示したものであり、画像表示部１４には、被写体のスルー画像である富士山と雲の画像と、関係グラフ２３が表示されているのがわかる。このとき、ＰＬ評価値の最大、最小となる偏光フィルターの角度の位置及び現在の偏光フィルターの角度位置をそれぞれ指標する点２４、点２５、三角部２６も関係グラフ上に表示させる。
一方、ステップＳ２で、ＰＬ評価値の取得を行わないと判断すると、ステップＳ５に進み、被写体のスルー画像とともに、偏光フィルターの各角度におけるＰＬ評価値の関係を示した関係グラフが現在画像表示部１４に表示されているか否かを判断する。関係グラフを表示していると判断した場合はステップＳ６に進み、関係グラフを表示していないと判断した場合にはステップＳ１２に進む。
【００５２】
ステップＳ４で、関係グラフを画像表示部１４に表示すると、又は、ステップＳ５で、関係グラフを画像表示部１４に表示していると判断すると、ＰＬ評価値が最大となる角度に偏光フィルターを回転駆動させるか否かを判断する（ステップＳ６）。この判断は、キー入力部１５から最大キーの操作に対応する操作信号が送られてきたか否かにより判断する。
ステップＳ６で、ＰＬ評価値が最大となる角度に偏光フィルターを回転駆動させると判断すると、ＰＬ評価値が最大となる角度に偏光フィルターを回転駆動させて（ステップＳ７）、ステップＳ１０に進む。図２（ｂ）を用いて説明すると、点２４の角度に偏光フィルターを回転駆動させることとなる。これにより、ユーザは、コントラスト効果のある画像を得ることができる。
一方、ステップＳ６で、偏光フィルターの回転駆動をさせないと判断すると、ＰＬ評価値が最小となる角度に偏光フィルターを回転駆動させるか否かを判断する（ステップＳ８）。この判断は、キー入力部１５から最小キーの操作に対応する操作信号が送られてきたか否かにより判断する。
【００５３】
ステップＳ８で、ＰＬ評価値が最小となる角度に偏光フィルターを回転駆動させると判断すると、ＰＬ評価値が最小となる角度に偏光フィルターを回転駆動させて（ステップＳ９）、ステップＳ１０に進む。図２（ｂ）を用いて説明すると、点２５の角度に偏光フィルターを回転駆動させることとなる。これにより、ユーザは、ガラス等に反射する光を除去した画像データを得ることができる。
一方、ステップＳ８で、偏光フィルターの回転駆動をさせないと判断すると、そのままステップＳ１０に進む。ユーザが偏光フィルターをＰＬ評価値が最大又は最小となるように自動的に回転駆動させたくない場合もあるからである。
【００５４】
なお、ここでは、ユーザがキー入力部１５の最大キーの操作を行ったものとする。図５（ａ）は、そのときの画像表示部１０に表示される関係グラフ２３の様子を示すものである。図５（ａ）を見ると、現在の偏光フィルターの角度の位置を指標する三角部２６は、ＰＬ評価値が最大である点２４の角度の位置と同じ位置にあることがわかる。つまり、ユーザの最大キーの操作により、偏光フィルターは、ＰＬ評価値が最大となる角度の位置に回転駆動されたのである。
【００５５】
ステップＳ１０に進むと、偏光フィルターの角度を変えるためのマニュアル操作が行われたか否かを判断する。この判断は、キー入力部１５から回転キーの操作に対応する操作信号が送られてきたか否かにより判断する。
ステップＳ１０で、マニュアル操作が行われていないと判断するとステップＳ１２に進み、マニュアル操作が行われたと判断すると、マニュアル操作にしたがって、偏光フィルターを回転駆動させて（ステップＳ１１）、ステップＳ１２に進む。
【００５６】
具体的には、ユーザにより回転キーの「→」キーの操作が行われると、偏光フィルターの角度を大きくしていく。このとき、現在の偏光フィルターの角度の位置を指標する三角部２６は右に移動していく。また、ユーザの回転キーの「←」キーの操作が行われると、偏光フィルターの角度を小さくしていく。このとき、現在の偏光フィルターの角度の位置を指標する三角部２６は左に移動していく。
なお、ここでは、ユーザがキー入力部１５の最大キーの操作を行った後、回転キーの「←」キーの操作を行ったものとする。
図５（ｂ）を見ると、三角部２６の角度の位置は、点２４の角度の位置から左の方にあるので、ユーザの回転キーのマニュアル操作により偏光フィルターの角度は小さくなったことがわかる。これにより、ユーザは自分の作画表現に合うように偏光フィルター部２の偏光フィルターを調節することができる。
【００５７】
ステップＳ１２に進むと、ユーザによってシャッタボタンが押下されたか否かを判断する。この判断は、キー入力部１５からシャッタボタンの押下に対応する操作信号が送られてきたか否かにより判断する。
ステップＳ１２で、シャッタボタンが押下されていないと判断するとステップＳ２に戻り、シャッタボタンが押下されたと判断すると、静止画撮影処理を行い（ステップＳ１３）、静止画撮影処理により得られた画像データをフラッシュメモリ１３又はメモリ・カード２０に記録する（ステップＳ１４）。
【００５８】
Ｄ.以上のように、実施の形態においては、ユーザによってＰＬキーの操作が行われると、偏光フィルターを０〜πの角度まで自動的に回転させ、偏光フィルターの各角度におけるＰＬ評価値の関係を示した関係グラフを画像表示部１０に表示させるので、偏光フィルターの各角度におけるＰＬ評価値をユーザは認識することができ、偏光フィルターの角度を何度にすれば所望するＰＬ評価値、画像を得ることができるのかも認識することができる。
【００５９】
また、関係グラフとともに、ＰＬ評価値が最大となる角度の位置、ＰＬ評価値が最小となる角度の位置及び現在の偏光フィルターの角度の位置を関係グラフ上に指標させるので、どの角度が一番ＰＬ評価値が高くなるのか、どの角度が一番ＰＬ評価値が低くなるのか、現在の偏光フィルターの角度はどのくらいかを簡単に認識することができる。
【００６０】
また、最大キーの操作を行うと、ＰＬ評価値が最大となるような角度に偏光フィルターを回転駆動させるので、コントラスト効果のある画像を得ることができる。また、現在の偏光フィルターの角度も関係グラフ上に指標させるので、本当にＰＬ評価値が最大となる角度に偏光フィルターが回転駆動されたのかも確認することができる。
【００６１】
また、最小キーの操作を行うと、ＰＬ評価位置が最小となるような角度に偏光フィルターを回転駆動させるので、ガラスなどに反射する光を除去した画像を得ることができる。また、現在の偏光フィルターの角度も関係グラフ上に指標させるので、本当にＰＬ評価値が最小となる角度に偏光フィルターが回転駆動されたのかも確認することができる。
【００６２】
また、回転キーの操作が行われると、回転キーの操作にしたがって、偏光フィルターの角度を回転駆動させていくので、ユーザは回転キーの操作を行うことにより現在の偏光フィルターの角度を調節することができ、ユーザが所望する画像を得ることができる。また、現在の偏光フィルターの角度を関係グラフ上に指標させるので、ユーザは、回転キーの操作によりどのくらい偏光フィルターが回転駆動したかを認識することができる。
【００６３】
なお、上記実施の形態においては、最大キー、最小キーというものを設けたが、ＰＬ評価値が最大となる角度に偏光フィルターを回転駆動させる第１のモードと、ＰＬ評価値が最小となる角度に偏光フィルターを回転駆動させる第２のモードというものを設け、ユーザが予め第１のモードか第２のモードを選択しておき、ＰＬキーの操作を行うことにより、偏光フィルターの各角度におけるＰＬ評価値を取得して、選択されたモードに対応するＰＬ評価値となる角度に自動的に偏光フィルターを回転駆動させるようにしてもよい。
【００６４】
また、最大となるＰＬ評価値と最小となるＰＬ評価値の丁度中間のＰＬ評価値（最大ＰＬ評価値と最小ＰＬ評価値との平均のＰＬ評価値）となる角度に偏光フィルターを回転駆動させるための中間キー、又は第３のモードというものを設け、中間キーが操作された場合、又は第３のモードが選択された場合には、平均のＰＬ評価値となる角度に偏光フィルターを自動的に回転駆動させるようにしてもよい。
【００６５】
また、ＰＬキーというものを設けたが、シャッタボタンが半押しされたときに、偏光フィルターを０〜πまで回転駆動させて、偏光フィルターの各角度におけるＰＬ評価値を取得して、関係グラフ２３を画像表示部１４に表示させるようにしてもよい。
また、第１のモード、第２のモード、第３のモードから予め１つのモードを選択し、シャッタボタンが押下されると、偏光フィルターの各角度におけるＰＬ評価値を取得して、関係グラフ２３を画像表示部１０に表示させるとともに、自動的に該選択されたモードに対応するＰＬ評価値となる角度に偏光フィルターを回転駆動させるようにしてもよい。
【００６６】
また、静止画撮影モードに限らず、動画撮影モードの場合においても、本発明を適用するようにしてもよい。また、動画撮影モードの場合には、被写体のスルー画像表示状態に限らず、動画撮影処理を行っているときも本発明を適用するようにしてもよい。
【００６７】
更に、上記実施の形態における撮像装置は、デジタルカメラに限定されるものではなく、カメラ付き携帯電話、カメラ付きＰＤＡ、カメラ付きパソコン、又はデジタルビデオカメラ等でもよく、要は被写体を撮像することができる機器であれば何でもよい。
【図面の簡単な説明】
【００６８】
【図１】本発明の実施の形態のデジタルカメラのブロック図である。
【図２】偏光フィルターの各角度とＰＬ評価値との関係を示した関係グラフ及び画像表示部１４に表示された関係グラフの様子を示すものである。
【図３】デジタルカメラの動作を示すフローチャートである。
【図４】デジタルカメラの動作を示すフローチャートである。
【図５】最大キーの操作を行ったときの及び回転キーの操作により偏光フィルター角度を調節したときの画像表示部１０に表示される関係グラフ２３の様子を示し田茂のである。
【符号の説明】
【００６９】
１      デジタルカメラ
２      偏光フィルター部
３      フィルター回転駆動部
４      撮影レンズ
５      レンズ駆動ブロック
６      絞り兼用シャッタ
７      ＣＣＤ
８      ＴＧ
９      ユニット回路
１０    ＣＰＵ
１１    ＤＲＡＭ
１２    メモリ
１３    フラッシュメモリ
１４    画像表示部
１５    キー入力部
１６    音声処理部
１７    ストロボ駆動部
１８    ストロボ発光部
１９    カードＩ／Ｆ
２０    メモリ・カード
【図１】
2006165986.tif 000003
【図２】
2006165986.tif 000004
【図３】
2006165986.tif 000005
【図４】
2006165986.tif 000006
【図５】
2006165986.tif 000007